(57)【要約】      （修正有）【課題】実際のシール形成前にシール線幅を自動調節することのできる接着剤の滴下制御方法の提供。【解決手段】予行試験工程では、滴下径Ｘ及び滴下ピッチＰの変化とシール線２ｂの線幅Ｂとのデータ群の関連性を予め抽出しておき、その後のワーク製造過程では、滴下径Ｘの測定値より、滴下径Ｘ及び滴下ピッチＰの変化とシール線２ｂの線幅Ｂとのデータ群の関連性に基づき、両板状ワーク１が所定のギャップＧで重ね合わされたことによる伸展後のシール線２ｂの線幅Ｂを推定することで、滴下ピッチＰを制御変数として伸展後のシール線幅Ｂを制御することにより、ワーク製造過程の途中にディスペンサ３からの点状接着剤２ａの滴下径Ｘが微妙に変化しても、その滴下径Ｘの測定値から予行試験工程の測定結果に基づいて、ディスペンサ３からの滴下ピッチＰを自動的に修正し、その後は修正した滴下条件でシール線２ｂが形成される。【選択図】図２
2011005460.tif 000002
【特許請求の範囲】
【請求項１】
一対の板状ワーク（１）のいずれか一方に、接着剤（２）をディスペンサ（３）から所定量ずつ等間隔おきに滴下して点状接着剤（２ａ）を所定ピッチで配置し、該点状接着剤（２ａ）を挟むように前記両板状ワーク（１）が所定のギャップで重ね合わされて、前記点状接着剤（２ａ）を伸展させ相互に繋いでシール線（２ｂ）が形成されるワーク製造過程に用いる接着剤の滴下制御方法であって、
前記ワーク製造過程とは別に、所定条件下で、前記ディスペンサ（３）から滴下される前記点状接着剤（２ａ）の滴下径（Ｘ）を変化させ、これら滴下径（Ｘ）に対応した複数の滴下ピッチ（Ｐ）で滴下して前記シール線（２ｂ）の試作を行い、試作された前記シール線（２ｂ）の線幅（Ｂ）を測定する予行試験工程を有し、
この予行試験工程において、前記滴下径（Ｘ）及び前記滴下ピッチ（Ｐ）の変化と前記シール線（２ｂ）の線幅（Ｂ）とのデータ群の関連性を予め抽出しておき、
前記ワーク製造過程において、前記一方の板状ワーク（１）に向け、前記ディスペンサ（３）から前記接着剤（２）を所定の滴下ピッチ（Ｐ）で定量滴下して、前記点状接着剤（２ａ）の滴下径（Ｘ）を測定し、該滴下径（Ｘ）の測定値より、前記滴下径（Ｘ）及び前記滴下ピッチ（Ｐ）の変化と前記シール線（２ｂ）の線幅（Ｂ）とのデータ群の関連性に基づき、前記両板状ワーク（１）が所定のギャップで重ね合わされたことによる伸展後の前記シール線（２ｂ）の線幅（Ｂ）を推定することで、前記滴下ピッチ（Ｐ）を制御変数として前記伸展後のシール線幅（Ｂ）を制御することを特徴とする接着剤の滴下制御方法。
【請求項２】
前記一方の板状ワーク（１）に対し、前記ディスペンサ（３）から滴下ピッチ（Ｐ１）で前記接着剤（２）を定量滴下して前記点状接着剤（２ａ）の滴下径（Ｘ１）を測定する調整用滴下工程と、前記調整用滴下工程の結果に基づいて前記ディスペンサ（３）から前記接着剤（２）を定量滴下するシール用滴下工程と、前記点状接着剤（２ａ）を挟むように前記他方の板状ワーク（１）が重ね合わされて前記シール線（２ｂ）を形成する接着剤伸展工程とを順次実行するワーク製造過程において、
前記調整用滴下工程における前記点状接着剤（２ａ）の滴下径（Ｘ１）の測定値と前記滴下ピッチ（Ｐ１）から、前記予行試験工程で抽出された前記滴下径（Ｘ）及び前記滴下ピッチ（Ｐ）の変化と前記シール線（２ｂ）の線幅（Ｂ）とのデータ群の関連性に基づき、前記両板状ワーク（１）が所定のギャップで重ね合わされたことによる伸展後の前記シール線（２ｂ）の線幅（Ｂ）を推定し、
該推定値が規格外である時には、前記予行試験工程で抽出された前記滴下径（Ｘ）及び前記滴下ピッチ（Ｐ）の変化と前記シール線（２ｂ）の線幅（Ｂ）とのデータ群の関連性に基づいて、前記シール用滴下工程における滴下ピッチ（Ｐ２）を修正することを特徴とする接着剤の請求項１記載の接着剤の滴下制御方法。
【請求項３】
前記一方の板状ワーク（１）に対し、少なくとも前記ディスペンサ（３）から前記接着剤（２）を定量滴下するシール用滴下工程と、前記一方の板状ワーク（１）に前記他方の板状ワーク（１）が前記点状接着剤（２ａ）を挟むように所定のギャップで重ね合わされて前記シール線（２ｂ）を形成する接着剤伸展工程とを順次実行するワーク製造過程において、
前記シール用滴下工程にて、前記点状接着剤（２ａ）の滴下径（Ｘ２）を測定し、
前記接着剤伸展工程にて、前記シール線（２ｂ）の線幅（Ｂ２）を測定し、
該シール線幅（Ｂ２）の推定値が規格外である時には、前記予行試験工程で抽出された前記滴下径（Ｘ）及び前記滴下ピッチ（Ｐ）の変化と前記シール線（２ｂ）の線幅（Ｂ）とのデータ群の関連性に基づいて、目標とするシール線幅（Ｂ）を与える、前記点状接着剤（２ａ）の滴下径（Ｘ２）の実測値に対する滴下ピッチ（Ｐ２）を推定し、次のワーク製造過程で前記シール用滴下工程における滴下ピッチ（Ｐ２）を修正することを特徴とする請求項１記載の接着剤の滴下制御方法。
【発明の詳細な説明】
【技術分野】
【０００１】
本発明は、例えば液晶ディスプレイ（ＬＣＤ）や有機ＥＬディスプレイ（ＯＬＥＤ）やプラズマディスプレイ（ＰＤＰ）やフレキシブルディスプレイなどのフラットパネルディスプレイ（ＦＰＤ）に用いられるガラス製基板、又はＰＥＳ（Poly-Ether-Sulphone）などのプラスチックフィルムや合成樹脂製基板からなる二枚の板状ワークを着脱自在に保持して貼り合わせる基板貼り合わせ機などに用いられる、貼り合わせ構造体を作成するための接着剤の滴下制御方法に関する。
詳しくは、一対の板状ワークの少なくともいずれか一方に、接着剤を定量ずつ等間隔おきに滴下して点状接着剤を定ピッチで配置し、これら板状ワークの貼り合わせにより、点状接着剤を伸展させ相互に繋いでシール線が形成される接着剤の滴下制御方法に関する。
【背景技術】
【０００２】
従来、この種の液晶表示パネルの製造方法として、第１の基板に紫外線硬化樹脂とギャップ材とを混入したギャップ制御材を形成し、第２の基板に紫外線接着剤がディスペンサーを用いた滴下描画法を用い、所定のパターンで線状のシール材が形成され、第１の基板と第２の基板とを貼り合わせて加圧しながら、紫外線を照射して、液晶表示パネルのギャップ材制御材とシール材とを硬化させるものがある（例えば、特許文献１参照）。
【先行技術文献】
【特許文献】
【０００３】
【特許文献１】特開平０７−２２５３８４号公報（第２−４頁、図２−８）
【発明の概要】
【発明が解決しようとする課題】
【０００４】
このような従来の方法を利用して、一対の板状ワークのいずれか一方に、ディスペンサから接着剤を定量ずつ等間隔おきに滴下して点状接着剤を定ピッチで配置し、その後、両板状ワークの貼り合わせにより各点状接着剤を夫々伸展させ相互に繋ぐことで、所定幅のシール線が両板状ワーク間の封止空間を囲むように形成されるように制御することが考えられる。
しかし乍ら、ディスペンサから点状に滴下される接着剤は、ディスペンサーのノズル性能だけでなく、粘度や配合比などの材料固有の違いや、温度又は湿度などの滴下環境変化によって、ディスペンサから滴下される一滴当たりの量（滴下量）が変化し、それにより板状ワークに滴下された点状接着剤の径を一定に保つことが困難であった。
特に、使用する接着剤が変ってディスペンサから初めて滴下させる時や接着剤の滴下を開始する始業時には、接着剤の滴下量が安定し難いため、伸展して繋がったシール線の線幅にバラツキが発生し易く、それにより封止空間の容積が頻繁に変動して、高精度な貼り合わせ構造体を安定的に製造できないという問題があった。
そこで、この問題点を解決するため、始業時に先ず実ワークでテスト運転してディスペンサからの点状接着剤の滴下径を安定させ、次に点状接着剤が相互に繋がった実際のシール線の線幅を実測して、目的とするシール線幅との差を求め、これらの差に基づいてディスペンサからの滴下量を調整することが考えられる。
しかし、この場合には、始業時においてテスト運転開始から線幅の実測値に基づきディスペンサからの滴下量を調整し終わるまで、その間に作成した板状ワーク及び貼り合わせ構造体が全て不良品となってしまうため、歩留まりが悪いという問題もあった。
【０００５】
本発明は、このような問題に対処することを課題とするものであり、実際のシール形成前にシール線幅を自動調節すること、シール線幅の自動調節精度を更に向上させること、を目的としたものである。
【課題を解決するための手段】
【０００６】
前述した目的を達成するために、本発明は、一対の板状ワークのいずれか一方に、接着剤をディスペンサから所定量ずつ等間隔おきに滴下して点状接着剤を所定ピッチで配置し、該点状接着剤を挟むように前記両板状ワークが所定のギャップで重ね合わされて、前記点状接着剤を伸展させ相互に繋いでシール線が形成されるワーク製造過程に用いる接着剤の滴下制御方法であって、先ず前記ワーク製造過程とは別に、所定条件下で、前記ディスペンサから滴下される前記点状接着剤の滴下径を変化させ、これら滴下径に対応した複数の滴下ピッチで滴下して前記シール線の試作を行い、試作された前記シール線の線幅を測定する予行試験工程を有するものである。そして、この予行試験工程において、前記滴下径及び前記滴下ピッチの変化と前記シール線の線幅とのデータ群の関連性を予め抽出しておくものである。なお、理解の煩雑さを避けるため以下の記述において、前記「予行試験工程において予め抽出された、前記滴下径及び前記滴下ピッチの変化と前記シール線の線幅とのデータ群の関連性を、「ＢＸＰ関連性」と記述することがある。次に、前記ワーク製造過程において、前記一方の板状ワークに向け、前記ディスペンサから前記接着剤を所定の滴下ピッチで定量滴下して、前記点状接着剤の滴下径を測定し、該滴下径の測定値より、前記「ＰＢＸ関連性」に基づき、前記両板状ワークが所定のギャップで重ね合わされたことによる伸展後の前記シール線の線幅を推定することで、前記滴下ピッチを制御変数として前記伸展後のシール線幅を制御することを特徴とするものである。
さらに前述した特徴に加えて、前記一方の板状ワークに対し、前記ディスペンサから滴下ピッチで前記接着剤を定量滴下して前記点状接着剤の滴下径を測定する調整用滴下工程と、前記調整用滴下工程の結果に基づいて前記ディスペンサから前記接着剤を定量滴下するシール用滴下工程と、前記点状接着剤を挟むように前記他方の板状ワークが重ね合わされて前記シール線を形成する接着剤伸展工程とを順次実行するワーク製造過程において、前記調整用滴下工程における前記点状接着剤の滴下径の測定値と前記滴下ピッチから、前記「ＢＸＰ関連性」に基づき、前記両板状ワークが所定のギャップで重ね合わされたことによる伸展後の前記シール線の線幅を推定し、該推定値が規格外である時には、前記「ＢＸＰ関連性」に基づいて、前記シール用滴下工程における滴下ピッチを修正することを特徴とする。
またワーク製造過程によっては、前記調整用滴下工程を有さない場合もあり得る。その場合は、前記一方の板状ワークに対し、少なくとも前記ディスペンサから前記接着剤を定量滴下するシール用滴下工程と、前記一方の板状ワークに前記他方の板状ワークが前記点状接着剤を挟むように所定のギャップで重ね合わされて前記シール線を形成する接着剤伸展工程とを順次実行するワーク製造過程において、前記シール用滴下工程にて、前記点状接着剤の滴下径を測定し、前記接着剤伸展工程にて、前記シール線の線幅を測定し、該シール線幅の推定値が規格外である時には、前記「ＢＸＰ関連性」に基づいて、目標とするシール線幅を与える、前記点状接着剤の滴下径の実測値に対する滴下ピッチを推定し、次のワーク製造過程で前記シール用滴下工程における滴下ピッチを修正することを特徴とする。
【発明の効果】
【０００７】
前述した特徴を有する本発明は、予行試験工程では、滴下径及び滴下ピッチの変化とシール線の線幅とのデータ群の関連性を予め抽出しておき、その後のワーク製造過程では、滴下径の測定値より、滴下径及び滴下ピッチの変化とシール線の線幅とのデータ群の関連性（前記「ＢＸＰ関連性」）に基づき、両板状ワークが所定のギャップで重ね合わされたことによる伸展後のシール線の線幅を推定することで、滴下ピッチを制御変数として伸展後のシール線幅を制御することにより、ワーク製造過程の途中にディスペンサからの点状接着剤の滴下径Ｘが微妙に変化しても、ディスペンサの滴下ピッチを自動的に修正し、その後は修正した滴下条件でシール線が形成される。
したがって、実際のシール形成前にシール線幅を自動調節することができる。
その結果、使用する接着剤が変ってディスペンサから初めて滴下させる時や接着剤の滴下を開始する始業時に接着剤の滴下量が安定し難い従来の方法に比べ、シール線幅を一定に維持して封止空間の容積を定量化でき、それにより精度の高い接着封止構造体を安定して歩留まり良く製造できるとともに、使用する接着剤が変ってディスペンサから初めて滴下させる時や接着剤の滴下を開始する始業時における調整作業の効率化を図ることができる。
また、伸展して繋がったシール線の線幅を自動的に監視しているので、板状ワークの貼り合わせ不良の発生をも防止できる。
【０００８】
また、調整用滴下工程における点状接着剤の滴下径の測定値と滴下ピッチから、予行試験工程で抽出された滴下径及び滴下ピッチの変化とシール線の線幅とのデータ群の関連性（前記「ＢＸＰ関連性」）に基づき、両板状ワークが所定のギャップで重ね合わされたことによる伸展後のシール線の線幅を推定し、該推定値が規格外である時には、前記「ＢＸＰ関連性」に基づいて、シール用滴下工程における滴下ピッチを修正するので、ディスペンサからの点状接着剤の滴下径が微妙に変化しても、調整用滴下工程における滴下径の測定値と滴下ピッチから前記「ＢＸＰ関連性」に基づいて、シール用滴下工程におけるシール線の形成直前にディスペンサからの滴下ピッチを自動的に修正し、この修正した滴下条件でシール線が形成される。
したがって、シール線幅の自動調節精度を更に向上させることができる。
その結果、シール線幅が更に一定化され、それ伴い封止空間の容積の定量化も向上し、より精度の高い接着封止構造体を安定して歩留まり良く製造できる。
【０００９】
また、シール用滴下工程にて、点状接着剤の滴下径を測定し、接着剤伸展工程にて、シール線の線幅を測定し、該シール線幅の推定値が規格外である時には、予行試験工程で抽出された滴下径及び滴下ピッチの変化とシール線の線幅とのデータ群の関連性（前記「ＢＸＰ関連性」）に基づいて、目標とするシール線幅を与える、点状接着剤の滴下径の実測値に対する滴下ピッチを推定し、次のワーク製造過程でシール用滴下工程における滴下ピッチを修正する場合には、ある板状ワークの重ね合わせが終わった段階で、シール線の線幅に狂いが生じても、予行試験工程の測定結果に基づいて、次のシール用滴下工程におけるシール線の形成前にディスペンサからの滴下ピッチを自動的に修正し、この修正した滴下条件でシール線が形成される。
したがって、シール線幅の自動調節精度を更に向上させることができる。
その結果、シール線幅が更に一定化され、それ伴い封止空間の容積の定量化も向上し、より精度の高い接着封止構造体を安定して歩留まり良く製造できる。
【図面の簡単な説明】
【００１０】
【図１】本発明の接着剤の滴下制御方法の概略を説明する工程図で、（ａ）が滴下時の縦断側面図、（ｂ）が同平面図、（ｃ）がワーク重ね合わせ時の縦断側面図、（ｄ）が貼り合わせ時の縦断側面図、（ｅ）が同横断平面図である。
【図２】本発明の接着剤の滴下制御方法の一実施形態を示す説明図で、（ａ）が接着剤の滴下状態を示す平面図であり、（ｂ）が接着剤の伸展途中を実線で示すとともに伸展後を二点鎖線で示す横断平面図である。
【図３】シール線幅と滴下径と滴下ピッチとの関連を示すグラフで、（ａ）がシール用滴下ピッチの補正過程を説明するＢ−Ｘ−Ｐ線図であり、（ｂ）が調整用滴下ピッチの補正過程を説明するＢ−Ｘ−Ｐ線図である。
【図４】テスト滴下の一例を示す説明図で、平面図及び横断平面図で、（ａ）が接着剤の滴下状態を示す平面図であり、（ｂ）が（ｂ）が接着剤の伸展後を示す横断平面図である。
【図５】予行試験工程のフローチャートである。
【図６】テスト滴下工程のフローチャートである。
【図７】理想的な滴下ピッチを求めるための説明図である。
【図８】調整用滴下工程のフローチャートである。
【図９】シール用滴下工程のフローチャートである。
【図１０】接着剤伸展工程のフローチャートである。
【発明を実施するための形態】
【００１１】
本発明の実施形態に係る接着剤の滴下制御方法の概略を説明すると、図１（ａ）〜（ｅ）に示す工程図のように、それに用いるワーク製造過程として、一対の板状ワーク１の対向面の少なくともいずれか一方に接着剤２をディスペンサ３から所定量ずつ等間隔おきに滴下して点状接着剤２ａを所定ピッチで配置し、これら一対の板状ワーク１を重ね合わせ、必要に応じ加圧して両者の間隔が所定のギャップＧとなるように貼り合わすことにより、各点状接着剤２ａを潰して拡張伸展させ相互に繋いで、シール線２ｂが形成される。
【００１２】
接着剤２としては、低粘度（２００Ｐａ・ｓ＝２０万ｃＰ程度以下）で伸展し易いものを使用することが好ましい。
また、板状ワーク１の表面１ａへ向けてディスペンサ３から定量滴下された直後の接着剤２は、その表面張力によってある径を保ち、その直径を以下「滴下径」という。
【００１３】
さらに詳細に説明すると、本発明の実施形態に係る接着剤の滴下制御方法は、前述したワーク製造過程とは別に予行試験工程を有し、該ワーク製造過程として、少なくともシール用滴下工程、接着剤伸展工程を有し、これらの工程を順次実行することで、一対の板状ワークがシール線２ｂを介して重ね合わされ、それにより貼り合わせ構造体Ａが製造されるようにしている。
また必要に応じて、ワーク製造過程に調整用滴下工程を有するようにすることも可能である。以下、調整滴下工程を実行する場合について説明する。
【００１４】
予行試験工程は、例えば図１（ａ）（ｂ）に示すように、温度などの条件を十分に管理した所定条件下で、一方の板状ワーク１の表面１ａに向け接着剤２をディスペンサ３から滴下し、ディスペンサ３から滴下される接着剤２の一滴当たりの滴下量Ｗを変えるなどして、滴下径Ｘが異なる複数の点状接着剤２ａを作成可能にしている。
そして、これら滴下径Ｘに対応した複数の異なる滴下ピッチＰで滴下を行い、その後、図１（ｃ）（ｄ）に示すように、他方の板状ワーク１を所定のギャップＧで重ね合わせて、図１（ｅ）に示すように、各点状接着剤２ａを潰し伸展させ繋げることにより、複数の異なる滴下径Ｘ及び滴下ピッチＰからなるシール線２ｂの試作を行い、これら試作された各シール線２ｂの線幅Ｂを測定し、それぞれの滴下径Ｘ及び滴下ピッチＰの変化とシール線２ｂの線幅Ｂとのデータ群の関連性を抽出する。
【００１５】
調整用滴下工程は、ディスペンサ３から滴下される接着剤２の滴下ピッチＰ１及び滴下径Ｘ１を設定するか、又は予め設定された滴下ピッチＰ１及び滴下径Ｘ１で接着剤２を、例えば図２（ａ）に示すように、一方の板状ワーク１に向け定量滴下し、その後、これら滴下された点状接着剤２ａの少なくとも滴下径Ｘ１を測定している。
【００１６】
シール用滴下工程は、調整用滴下工程の結果に基づいてディスペンサ３から滴下される接着剤２の少なくとも滴下ピッチＰ２を設定し、例えば図２（ａ）に示すように、ディスペンサ３から滴下ピッチＰ２で接着剤２を一方の板状ワーク１に定量滴下する。
【００１７】
接着剤伸展工程は、接着剤２が滴下された一方の板状ワーク１に対して、点状接着剤２ａを挟むように他方の板状ワーク１を所定のギャップＧで重ね合わせることにより、例えば図２（ｂ）に示すように、各点状接着剤２ａを潰して拡張伸展させ相互に繋いで、シール線２ｂを形成し、その後、少なくともシール線２ｂの線幅Ｂ２を測定している。
【００１８】
さらに、板状ワーク１としては、例えば図１に示すように、貼り合わせ構造体Ａの一部を構成する例えばガラス基板や合成樹脂基板などの本ワーク１１を用意するだけなく、少なくとも表面が本ワーク１１と同じ材質で同形状形成される、貼り合わせ構造体Ａと別なテストワーク１２を用意することが好ましい。
そして、前述した調整用滴下工程及びシール用滴下工程では、例えば図２（ａ）（ｂ）に示すように本ワーク１１を使用し、それ以外の予行試験工程などでは、テストワーク１２を使用することが好ましい。
【００１９】
このような接着剤の滴下制御方法を実施するために使用する接着剤の滴下制御装置の実施形態は、図１（ａ）に示すように、板状ワーク１（本ワーク１１又はテストワーク１２）の表面１ａに向けて接着剤２を間欠的に定量ずつ滴下するディスペンサ３と、このディスペンサ３からの滴下量や滴下ピッチを制御する滴下コントローラ４と、ディスペンサ３から定量滴下した点状接着剤２ａの大きさや、一対の板状ワーク１が所定のギャップＧで重ね合わされたことにより各点状接着剤２ａが潰され拡張伸展して相互に繋がったシール線２ｂの線幅を計測する計測部５と、この計測部５の計測データなどを保存する記憶部６と、この記憶部６に保存された計測データなどに基づいて滴下コントローラ４を作動制御する制御部７とを備えている。
【００２０】
板状ワーク１とディスペンサ３は、前述した予行試験工程、調整用滴下工程及びシール用滴下工程において、これら板状ワーク１及びディスペンサ３のいずれか一方又は両方を相対的に移動させながら、この板状ワーク１の表面１ａへ向けてディスペンサ３から接着剤２を定量ずつ等間隔おきに滴下することにより、図１（ｂ）及び図２（ａ）に示すように、点状接着剤２ａが定ピッチで配置される。
【００２１】
滴下コントローラ４は、ディスペンサ３から滴下される接着剤２の一滴当たりの滴下量Ｗを変えることにより、板状ワーク１（本ワーク１１又はテストワーク１２）の表面１ａに滴下された点状接着剤２ａの滴下径Ｘを調整可能にするとともに、その滴下する間隔を時間的に変えることにより、点状接着剤２ａの滴下ピッチＰを調整可能にしている。
【００２２】
計測部５は、カメラなどからなり、図１（ｂ）及び図２（ａ）に示すように、ディスペンサ３から板状ワーク１（本ワーク１１又はテストワーク１２）の表面１ａ上に滴下した各点状接着剤２ａの少なくとも滴下径Ｘと滴下ピッチＰを測定するとともに、図１（ｃ）〜（ｅ）及び図２（ｂ）に示すように、一対の板状ワーク１が所定のギャップＧで重ね合わされたことにより各点状接着剤２ａが潰され伸展して繋がったシール線２ｂの線幅Ｂを計測している。
さらに、計測部５は、各点状接着剤２ａ間の隙間寸法なども一緒に計測することも可能である。
【００２３】
記憶部６は、計測部５により計測した点状接着剤２ａの滴下径Ｘ及びシール線２ｂの線幅Ｂなどが、ディスペンサ３から滴下される接着剤２の一滴当たりの滴下量Ｗと関係付けして保存されるとともに、予め可変可能に設定される予定のシール線幅Ｂなども保存している。
【００２４】
制御部７は、滴下コントローラ４、計測部５及び記憶部６と夫々電気的に接続したコントローラであり、前述した予行試験工程を実行して、滴下径Ｘ及び滴下ピッチＰの変化とシール線２ｂの線幅Ｂとのデータ群の関連性を予め抽出している。勿論、この抽出作業には上位のより能力の高いコンピュータの助力を得る場合もある。
これに続き、ワーク製造過程において、一方の板状ワーク１に向け、ディスペンサ３から接着剤２を所定の滴下ピッチＰで定量滴下して、点状接着剤２ａの滴下径Ｘを測定し、該滴下径Ｘの測定値より、前述した滴下径Ｘ及び滴下ピッチＰの変化とシール線２ｂの線幅Ｂとのデータ群の関連性に基づき、両板状ワーク１が所定のギャップＧで重ね合わされたことによる伸展後のシール線２ｂの線幅Ｂを推定することで、滴下ピッチＰを制御変数として伸展後のシール線幅Ｂを制御している。
【００２５】
その一例としては、前述した調整用滴下工程を実行して、ディスペンサ３から滴下ピッチＰ１で定量滴下し、点状接着剤２ａの滴下径Ｘ１を測定して、該滴下径Ｘ１の測定値と滴下ピッチＰ１から、予行試験工程で抽出された滴下径Ｘ及び滴下ピッチＰの変化とシール線２ｂの線幅Ｂとのデータ群の関連性に基づき、両板状ワーク１が所定のギャップＧで重ね合わされたことによる伸展後のシール線２ｂの線幅Ｂを推定し、該推定値が規格外である時には、予行試験工程で抽出された滴下径Ｘ及び前記滴下ピッチＰの変化とシール線２ｂの線幅Ｂとのデータ群の関連性に基づいて、前述したシール用滴下工程における滴下ピッチＰ２を修正するように制御している。
【００２６】
また、その他の例としては、一方の板状ワーク１に対し、少なくともシール用滴下工程と接着剤伸展工程とを順次実行するワーク製造過程において、シール用滴下工程にて点状接着剤２ａの滴下径Ｘ２を測定し、接着剤伸展工程にてシール線２ｂの線幅Ｂ２を測定し、該シール線幅Ｂ２の推定値が規格外である時には、予行試験工程で抽出された滴下径Ｘ及び滴下ピッチＰの変化とシール線２ｂの線幅Ｂとのデータ群の関連性に基づいて、目標とするシール線幅Ｂを与える、点状接着剤２ａの滴下径Ｘ２の実測値に対する滴下ピッチＰ２を推定し、次のワーク製造過程でシール用滴下工程における滴下ピッチＰ２を修正するように制御することも可能である。
【００２７】
これまでの制御を具体例に沿ってより詳しく説明する。
予行試験工程では、滴下径Ｘ及び滴下ピッチＰの変化とシール線２ｂの線幅Ｂとのデータ群の関連性を抽出して、例えば図３（ａ）に示すようなシール線幅Ｂ−滴下径Ｘ−滴下ピッチＰの関連を示す線図（以下「Ｂ−Ｘ−Ｐ線図」という）を作成する。
【００２８】
調整用滴下工程では、同工程の実行により測定された点状接着剤２ａの滴下径Ｘ１を、予行試験工程で作成されたＢ−Ｘ−Ｐ線図に挿入して、それにより作成されるシール線２ｂの線幅Ｂ１を予測し、それに基づき、その後に実行されるシール用滴下工程及び接着剤伸展工程を経て実際に形成されるシール線２ｂの線幅Ｂ２が、予定する線幅となるように、該シール用滴下工程における滴下ピッチＰ２を補正するようにしている。
【００２９】
つまり、このＢ−Ｘ−Ｐ線図によれば、滴下ピッチＰが長くなるとシール線幅Ｂは細くなり、滴下径Ｘが大きくなるとシール線幅Ｂは太くなることが容易に解る。
例えば、滴下径ＸがＸｉの時、滴下ピッチＰを変えることで得られる線幅Ｂは、曲線Ｓｉに従う。
この関係は、点状接着剤２ａの質量と、潰すという物理的に単純な作用による関係のみであるので、温度や湿度などの滴下条件を滴下時のものに一定に保ちながら、ディスペンサ３から滴下される一滴当たりの滴下量Ｗを一定に保てば再現性が高くなり、温度や湿度などによる滴下環境の影響は無視できないが温調室内であれば無視できるため、再現性に優れる。
【００３０】
調整用滴下工程やシール用滴下工程における実際の本ワーク１１への滴下では、ディスペンサー３のノズル性能及び周囲の条件管理の限界から、材料使用開始後のポットライフ（劣化）に起因して、例えば接着剤２の粘度が変化した場合には、接着剤２の一滴当たりの滴下量Ｗも完全には一定ではなく、図２（ａ）に示す調整用滴下工程における滴下径Ｘ１の測定値も粘度や環境温度等によって変る可能性が高い。
すなわち、それらの影響を制御して、予定の線幅を確保する必要がある。
【００３１】
例えば、連続的に多数枚の本ワーク１１に接着剤２の滴下が行われており、ｉ枚目において、図３（ａ）に示すＢ−Ｘ−Ｐ線図ように、前回の本ワーク１１に滴下された点状接着剤２ａの滴下径Ｘ１はＸｉであったが、今回、調整用滴下工程で滴下して滴下径Ｘ１を測定したところＸｊになったとする。
Ｘｊ−Ｘｉが規定値（例えば±１０％程度）を超えた場合には、このまま本ワーク１１に接着剤２の滴下を行って、一対の本ワーク１１を所定のギャップＧで重ね合わせることにより押し潰すと、図２（ｂ）に示す線幅Ｂ１はＢｊとなるはずであり、接着剤伸展後の目標線幅Ｂｓ（≒Ｂｉ）を大幅に超えることになる。
【００３２】
その場合には、図２（ａ）に示すシール用滴下工程における滴下ピッチＰ２を変えて対応する。
Ｘ座標＝ＸｊでＰＢ平面と平行な平面で、ＢＸＰ曲面を切った表面の曲線をＳｊとする。
Ｂ座標＝ＢｓでＰＸ平面に平行な平面で、ＢＸＰ曲面を切った等高線をＳｓとする。
曲線Ｓｊと等高線Ｓｓの交点をＱとすると、Ｑ点のＰ座標＝Ｐｊが求めるものである。
すなわち、この滴下ピッチＰｊで滴下すれば、線幅Ｂｓが得られるはずである。
また、Ｘｊ−Ｘｉが規定値（例えば±１０％程度）以内の場合は、シール用滴下工程における滴下ピッチＰ２はＰｉのままでよい。
【００３３】
その後、図２（ａ）に示すシール用滴下工程では、前述した調整用滴下工程において指定された滴下ピッチＰ２＝Ｐｊでシール滴下を行なう。
この時点で、その滴下径Ｘ２を測定し、この測定値Ｘ２≒Ｘｊであれば問題はなく、その測定値を次回のＸｉとする。
【００３４】
その後、図２（ｂ）に示す接着剤伸展工程では、シール用滴下工程で滴下された点状接着剤２ａを潰すことで作成されたシール線２ｂの線幅Ｂ２を測定し、この測定値Ｂ２≒線幅Ｂｓであれば問題ない。
この許容誤差は、予定するシール線幅の規定誤差と同じである。
規定線幅Ｂｍｍ±０．５ｍｍなど図３（ｂ）に示したように、測定値Ｂ２と線幅Ｂｓが大幅に違う場合は、Ｓｊ線に従わない現象が生じたということである。
【００３５】
例えば、Ｂ２−Ｂｓが基準値（規定量）を超えて小さい場合、測定値はＸ２≒Ｘｊであったので、これによってピッチＰｊで滴下した結果、予測された線幅Ｂ（≒Ｂｓ）は得られず、小さいＢ２という値が得られた訳である。
線幅Ｂ２は、ディスペンサ３から滴下される一滴当たりの滴下量Ｗと滴下ピッチＰによって決まるものであり、滴下ピッチＰが正確だとすれば、本来の条件であれば、滴下径はＸｋと計測されるべきものであるのに、例えば周囲の温度が上がって接着剤２の粘度が下がったために、点状接着剤２ａの滴下径Ｘが広がり易くなり、一滴当たりの滴下量Ｗは変らないのに滴下径が大きめにＸｊと計測されていた。この場合の点状接着剤２ａは見掛けほど質量がなかったことになる。
【００３６】
そのため、次回には、滴下径Ｘｋによって滴下ピッチＰを変えて線幅Ｂを予測する曲線Ｓｋに沿ってピッチを決めればよく、接着剤伸展工程を経て実際に作成されるシール線幅Ｂｓを得るには、曲線Ｓｋと等高線Ｓｓの交点に対応する滴下ピッチＰｋが相応しい。
すなわち、調整用滴下工程における滴下ピッチＰ１を前回のものに対し、△＝Ｐｋ−Ｐｊだけ補正することになる。
なお、この補正量は、前述した実施形態では、Ｂ−Ｘ−Ｐ線図で求めたが、ある程度の固定値でも実用は可能である。予測したシール線幅Ｂよりも大きな線幅Ｂ２が計測された場合も、同様な方法で対処することが可能である。
【００３７】
このような実施形態では、ワーク製造過程の途中にディスペンサ３からの点状接着剤２ａの滴下径Ｘが微妙に変化しても、その滴下径Ｘの測定値から予行試験工程の測定結果に基づいて、シール用滴下工程におけるシール線２ｂの形成直前にディスペンサ３からの滴下ピッチＰが自動的に修正され、その後は修正した滴下条件でシール線２ｂが形成されるので、実際のシール形成前にシール線幅を自動調節することができる。
【００３８】
なお、前示の実施形態では、ワーク製造過程に調整用滴下工程を有する場合を示したが、これに限定されず、ワーク製造過程によっては、調整滴下工程がなく、シール用滴下工程から実行する場合もあり得る。
この場合には、前述したように調整用滴下工程における滴下ピッチＰ１を補正するのに代えて、シール用滴下工程における滴下ピッチＰ２を補正するものとする。
それにより、シール用滴下工程におけるシール線２ｂの形成直前にディスペンサ３からの滴下ピッチＰが自動的に修正され、その後は修正した滴下条件でシール線２ｂが形成されるので、実際のシール形成前にシール線幅を自動調節することができる。
以下、本発明の一実施例を図面に基づいて説明する。
【実施例】
【００３９】
この実施例は、本発明の実施形態に係る接着剤の滴下制御方法が液晶ディスプレイの基板貼り合わせ機で実施される場合を示すものであり、先ず前述した予行試験工程を行い、その後、前述したワーク製造過程として図４（ａ）（ｂ）に示すように、テストワーク１２に向けてテスト滴下工程を行い、次に調整用滴下工程を行い、この調整用滴下工程では、図２（ａ）（ｂ）に示すように、本ワーク１１の本シール形成領域Ｓ１よりも外側の余白領域Ｓ２に向けて接着剤２を試し打し、その後のシール用滴下工程では本ワーク１１の本シール形成領域Ｓ１に向けて接着剤２を本打ちして、接着剤伸展工程の実行により、本シール２ｃが封止空間Ｓ０を囲むように形成されるようにしている。
【００４０】
テスト滴下工程では、記憶部６に保存された目標とするシール線２ｂの理想線幅Ｂａに対応する理想滴下ピッチＰａを算定し、この理想滴下ピッチＰａでディスペンサ３から接着剤２をテストワーク１２の表面１ａに滴下してシール線２ｂの試作を行い、この試作されたシール線２ｂの線幅Ｂとシール線２ｂの線幅目標値Ｂａと比較して判定し、これにより、前述した調整用滴下工程における調整用滴下ピッチＰ１を決定している。
【００４１】
図示例の場合には図２（ａ）に示すように、調整用滴下工程では、一方の本ワーク１１の余白領域Ｓ２として、後述するダミーシール２ｄが形成される箇所に向け滴下させ、また、一方の本ワーク１１の封止空間Ｓ０が形成される領域には、液晶などの封入材８を滴下注入法により、複数個所に同量ずつ分散させて夫々点状又は線状に配置し、図２（ｂ）に示すように、一対の本ワーク１１が所定のギャップＧで重ね合わされたことに伴い、これら点状の封入材８を潰して拡張伸展させ相互に繋いで、シール線２ｂの内側に気密封止する場合を示している。
その他の例として、封入材８の充填に代えて、本ワーク１１に形成された電子回路やチップなどの封止部材を気密封止することも可能である。
【００４２】
さらに、図２（ａ）（ｂ）に示すように、所定サイズの本ワーク１１から小型の液晶ディスプレイを一度に多数製造する場合で、該板状ワーク１の四隅部分のみを部分拡大して示しており、各小型の液晶ディスプレイの封入材８として液晶を封止するための本シール２ｃと、その外側に配置されて本ワーク１１間のギャップＧを所定の膜厚に保持のためのダミーシール２ｄが配置されている。
また、その他の例として、本ワーク１１の最外周を囲むように気密保持用シールを追加配置したり、ダミーシール２ｄが形成される箇所に代えて、調整用滴下工程で気密保持用シールが形成される箇所に向けディスペンサ３から接着剤２を定量滴下させることも可能である。
【００４３】
そして、前述した予行試験工程、テスト滴下工程、調整用滴下工程、シール用滴下工程、接着剤伸展工程を図５，図６，図８〜図１０に示すフローチャートに従って説明する。
【００４４】
［予行試験工程］
予行試験工程では、図５に示すフローチャートのように、シール線幅Ｂ−滴下径Ｘ−滴下ピッチＰが異なるシール線２ｂを複数試作して、これら試作されたシール線２ｂの線幅をそれぞれ測定し、これら関連するデータを抽出してＢ−Ｘ−Ｐ線図を作成する。
【００４５】
［テスト滴下工程］
テスト滴下工程では、図６に示すフローチャートのように、先ずディスペンサ３から滴下される接着剤２の一滴当たりの滴下量Ｗを設定する。
滴下量Ｗの設定方法の一例としては、ディスペンサ３からテストワーク１２に向けて滴下される接着剤２の一滴当たりの滴下量Ｗ（μｇ）を計量する。
この一滴当たりの滴下量Ｗを該接着剤２の比重で除法して体積Ｖを求める。
この一滴当たりの体積Ｖは、図１（ｄ）（ｅ）に示すように、一対のテストワーク１２が所定のギャップＧで重ね合わされることにより、各点状接着剤２ａが伸展した時の円柱状の体積と等しくなるから、この伸展半径をＲとすれば以下の式が成立する。
Ｖ＝Ｇ×πＲ2        Ｒ2＝Ｖ／π・Ｇ
【００４６】
ところで、目標とする理想的な線幅値Ｂａに対応する理想的な滴下ピッチＰａは、図７に示す説明図において、両板状ワーク１が所定のギャップＧで重ね合わされたことにより伸展した一対の点状接着剤の伸展円２ａ′が相互に繋がって帯状に連結する際に、この連結部分の伸展先端を直線化させて直線状の境界面２ａ″が形成されるように、点状接着剤の伸展円２ａ′の重合箇所で図中、破線で囲まれた枠内の封止面積(Ｐ×Ｒ)が、２つ伸展径の１／４半円の和と同等でなければなない。
【００４７】
ゆえに、Ｐ×Ｒ＝（πＲ2／４）×２
よって、理想的な滴下ピッチＰａは、下記の制約を受ける。
Ｐａ＝πＲ／２
【００４８】
このように得られた理想的な滴下ピッチＰａに基づいて、後述する調整用滴下工程における調整用の滴下ピッチＰ１を作成する。
しかし、理想的な滴下ピッチＰａでディスペンサ３から接着剤２を定量滴下し、これらテスト用の点状接着剤２ａを伸展させてテスト用のシール線２ｂを作成しても、接着剤２の粘度や配合比などの材料固有の違いや、温度又は湿度などの滴下環境変化によって、その線幅が必ずしも目標とする理想的な線幅値Ｂａになるとは限らない。
【００４９】
例えば、接着剤２の粘度が高い場合には、粘度が低い接着剤に比べ、滴下径が小さめになって小さく測定され、伸展後におけるシール線２ｂの線幅が、該滴下径の測定値から予想される幅寸法に比べて太くなる。またこれと逆に、接着剤２の粘度が低い場合には、滴下径が大きめになって大きく測定され、シール線２ｂの線幅が該滴下径の測定値から予想される幅寸法に比べて細くなる。
さらに、滴下を開始する作業始業時などは、接着剤２の配合比が一定しないが、滴下を繰り返すことで徐々に一定に近づく。配合が硬めになると、滴下径は、正常配合に比べ小さめになって小さく測定され、線幅は、滴下径の測定値から予想される幅寸法に比べ大きくなる。
【００５０】
そこで、本実施例の場合には、理想的な滴下ピッチＰａに微小変化量ΔＰを加減した複数のテスト用滴下ピッチＰ（ｉ）を求め、これらテスト用滴下ピッチＰ（ｉ）で接着剤２を実際に定量滴下し、それにより得られるデータに基づいて後述する調整用滴下工程における調整用の滴下ピッチＰ１の初期値を決めている。
これらテスト用の滴下ピッチＰ（ｉ）は、以下の式となる。
Ｐ（ｉ）＝Ｐａ−ｉ×ΔＰ    ｉ＝０，±１，±２，・・・，Ｎ    Ｎ：サンプル数
【００５１】
次いで、図４（ａ）に示す如く、このように求めたテスト用滴下ピッチＰ（ｉ）ごとにディスペンサ３から接着剤２をテストワーク１２の表面１ａ上に定量滴下して、テスト用の点状接着剤２ａを夫々配置する。
この際、ディスペンサ３から滴下される接着剤２の一滴当たりの滴下量Ｗは、一定に設定されるため、テスト用の点状接着剤２ａの滴下径も一定（Ｘ０）である。
その後、図４（ｂ）に示す如く、もう一枚のテストワーク（図示しない）を所定のギャップＧで実際に貼り合わせることにより、各テスト用の点状接着剤２ａを夫々伸展させ相互に繋いでテスト用のシール線２ｂを形成し、夫々の線幅を測定する。
【００５２】
この際、テスト用滴下ピッチＰ（ｉ）が理想的な滴下ピッチＰａよりも小さいＰａ−△Ｐの場合には、一対のテストワーク１２が所定のギャップＧで重ね合わされたことにより各テスト用の点状接着剤２ａを潰して伸展させると、その量が必要以上に多くなるため、これら点状接着剤２ａ同士の境界面２ａ″が突出し易く、それによりシール線２ｂが全体的に太くなる傾向がある。
また逆に、テスト用滴下ピッチＰ（ｉ）が理想的な滴下ピッチＰａよりも大きいＰａ＋△Ｐの場合には、テストワーク１２が所定のギャップＧで重ね合わされたことにより各テスト用の点状接着剤２ａを潰して伸展させると、その量が不足するため、これら点状接着剤２ａ同士の境界面２ａ″が凹み易く、それによりシール線２ｂが全体的に細くなる傾向がある。
【００５３】
これら微小変化量ΔＰだけ異なるテスト用のシール線２ｂの線幅と、予め設定された目標とする理想的なシール線２ｂの線幅値Ｂａとを比較して、この理想的な線幅値Ｂａに近く、しかも該テスト用のシール線２ｂの境界線２ａ″が直線に近いものを、後述する調整用滴下工程における調整用滴下ピッチＰ１の初期値として決定する。
図示例では、調整用滴下ピッチＰ１として、Ｐ（−１）＝Ｐａ−ΔＰを採用している。
【００５４】
［調整用滴下工程］
調整用滴下工程では、図８に示すフローチャートのように、先ず前述したテスト滴下工程で決定された調整用滴下ピッチＰ１を設定し、図２（ａ）に示すように、該調整用滴下ピッチＰ１でディスペンサ３から一方の本ワーク１１の余白領域Ｓ２（ダミーシール２ｄが形成される箇所）に向けて接着剤２を定量滴下する。
【００５５】
次に、この滴下された点状接着剤２ａのパターンの特徴として、少なくとも滴下径Ｘ１などを計測する。
そして、滴下径Ｘ１と予行試験工程で抽出されたＢ−Ｘ−Ｐ線図とから、それにより作成されるシール線２ｂの線幅Ｂ１を予測し、それに基づき、その後に実行されるシール用滴下工程及び接着剤伸展工程を経て実際に形成されるシール線２ｂの線幅Ｂ２が、予定の線幅となるように、該シール用滴下工程における滴下ピッチＰ２を補正している。
【００５６】
［シール用滴下工程］
予行試験工程では、図９に示すフローチャートのように、調整用滴下工程で決定されたシール用ピッチＰ２を設定し、図２（ａ）に示すように、このシール用ピッチＰ２でディスペンサ３から、一方の本ワーク１１の本シール形成領域Ｓ１に向けて接着剤２を定量滴下する。
その後、必要に応じて、この滴下された点状接着剤２ａのパターンの特徴として、滴下径Ｘ２などを計測する。
【００５７】
［接着剤伸展工程］
接着剤伸展工程では、図１０に示すフローチャートのように、接着剤２が滴下された一方の本ワーク１１に対して、該点状接着剤２ａを挟むように他方の本ワーク１１が所定のギャップＧで重ね合わされたことにより、例えば図２（ｂ）に示すように、滴下された各点状接着剤２ａを潰して拡張伸展させ相互に繋いで、シール線２ｂを形成する。
その後、少なくともシール線２ｂの線幅Ｂ２を測定している。
【００５８】
そして、このシール線幅Ｂ２が予測と違う時には、予行試験工程で抽出されたＢ−Ｘ−Ｐ線図より、その後に繰り返して実行される調整用滴下工程、シール用滴下工程及び接着剤伸展工程を経て実際に形成されるシール線２ｂの線幅Ｂ２が、予定の線幅となるように、該調整用滴下工程における滴下ピッチＰ１の補正量を計算する。
【００５９】
つまり、シール線２ｂの線幅Ｂ２の測定値が、目標値Ｂｓより太い場合には、前述したように「接着剤２の粘度が高い」、「接着剤２の配合が硬めになっていた」などの原因により、調整用滴下工程で測定した滴下径Ｘ１の測定値が小さめになって、滴下した一滴当たりの実質量が過度であったことになる。
このような場合には、滴下量を疎にするため、次回の滴下ピッチＰ１が大きくなるように補正される。
それによって、次回のシール線２ｂの線幅Ｂ２は細くなる。
【００６０】
また、このような実施例では、予行試験工程及びテスト滴下工程において接着剤２がテストワーク１２上で試し打ちされ、その後、調整用滴下工程において接着剤２が本ワーク１１の本シール形成領域Ｓ１よりも外側の余白領域Ｓ２で試し打ちされ、その後、シール用滴下工程において接着剤２が本ワーク１１の本シール形成領域Ｓ１に本打ちされ、これらの点状接着剤２ａが本ワーク１１上で重複することなく配置されるので、接着剤２の試し打ちを本シール２ｃと干渉せずに高性能に行うことができる。
【００６１】
さらに、シール線２ｂが両本ワーク１１間の封止空間Ｓ０を囲むように形成されるので、封止空間に形成される例えば配線パターンなどに悪影響を与えることなく、シール線幅を自動調節できる。
【００６２】
なお、前示実施例では、滴下制御方法を液晶ディスプレイの基板貼り合わせ機で実施する場合を示したが、これに限定されず、他の貼り合わせ装置で実施しても良い。
さらに、前示実施例においても、ワーク製造過程に調整用滴下工程を有する場合を示したが、これに限定されず、ワーク製造過程によっては、調整滴下工程がなく、シール用滴下工程から実行する場合もあり得る。
この場合には、前述したように調整用滴下工程における滴下ピッチＰ１を補正するのに代えて、シール用滴下工程における滴下ピッチＰ２を補正するものとする。
【符号の説明】
【００６３】
１  板状ワーク                      １１  本ワーク
１２  テストワーク                  １ａ  表面
２  接着剤                          ２ａ  点状接着剤
２ｂ  シール線                      ３  ディスペンサ
Ａ  貼り合わせ構造体                Ｂ  線幅（シール線幅）
Ｐ  滴下ピッチ                      Ｓ１  本シール形成領域
Ｓ２  外側の領域                    Ｘ  滴下径
【図１】
2011005460.tif 000003
【図３】
2011005460.tif 000004
【図４】
2011005460.tif 000005
【図５】
2011005460.tif 000006
【図６】
2011005460.tif 000007
【図７】
2011005460.tif 000008
【図８】
2011005460.tif 000009
【図９】
2011005460.tif 000010
【図１０】
2011005460.tif 000011
【図２】
2011005460.tif 000012
【手続補正書】
【提出日】平成21年9月30日(2009.9.30)
【手続補正１】
【補正対象書類名】特許請求の範囲
【補正対象項目名】請求項２
【補正方法】変更
【補正の内容】
【請求項２】
前記一方の板状ワーク（１）に対し、前記ディスペンサ（３）から滴下ピッチ（Ｐ１）で前記接着剤（２）を定量滴下して前記点状接着剤（２ａ）の滴下径（Ｘ１）を測定する調整用滴下工程と、前記調整用滴下工程の結果に基づいて前記ディスペンサ（３）から前記接着剤（２）を定量滴下するシール用滴下工程と、前記点状接着剤（２ａ）を挟むように前記他方の板状ワーク（１）が重ね合わされて前記シール線（２ｂ）を形成する接着剤伸展工程とを順次実行するワーク製造過程において、
前記調整用滴下工程における前記点状接着剤（２ａ）の滴下径（Ｘ１）の測定値と前記滴下ピッチ（Ｐ１）から、前記予行試験工程で抽出された前記滴下径（Ｘ）及び前記滴下ピッチ（Ｐ）の変化と前記シール線（２ｂ）の線幅（Ｂ）とのデータ群の関連性に基づき、前記両板状ワーク（１）が所定のギャップで重ね合わされたことによる伸展後の前記シール線（２ｂ）の線幅（Ｂ）を推定し、
該推定値が規格外である時には、前記予行試験工程で抽出された前記滴下径（Ｘ）及び前記滴下ピッチ（Ｐ）の変化と前記シール線（２ｂ）の線幅（Ｂ）とのデータ群の関連性に基づいて、前記シール用滴下工程における滴下ピッチ（Ｐ２）を修正することを特徴とする請求項１記載の接着剤の滴下制御方法。
【手続補正２】
【補正対象書類名】特許請求の範囲
【補正対象項目名】請求項３
【補正方法】変更
【補正の内容】
【請求項３】
前記一方の板状ワーク（１）に対し、少なくとも前記ディスペンサ（３）から前記接着剤（２）を定量滴下するシール用滴下工程と、前記一方の板状ワーク（１）に前記他方の板状ワーク（１）が前記点状接着剤（２ａ）を挟むように所定のギャップで重ね合わされて前記シール線（２ｂ）を形成する接着剤伸展工程とを順次実行するワーク製造過程において、
前記シール用滴下工程にて、前記点状接着剤（２ａ）の滴下径（Ｘ２）を測定し、
前記接着剤伸展工程にて、前記シール線（２ｂ）の線幅（Ｂ２）を測定し、
該シール線幅（Ｂ２）の測定値が規格外である時には、前記予行試験工程で抽出された前記滴下径（Ｘ）及び前記滴下ピッチ（Ｐ）の変化と前記シール線（２ｂ）の線幅（Ｂ）とのデータ群の関連性に基づいて、目標とするシール線幅（Ｂ）を与える、前記点状接着剤（２ａ）の滴下径（Ｘ２）の実測値に対する滴下ピッチ（Ｐ２）を推定し、次のワーク製造過程で前記シール用滴下工程における滴下ピッチ（Ｐ２）を修正することを特徴とする請求項１記載の接着剤の滴下制御方法。
【手続補正３】
【補正対象書類名】明細書
【補正対象項目名】０００６
【補正方法】変更
【補正の内容】
【０００６】
前述した目的を達成するために、本発明は、一対の板状ワークのいずれか一方に、接着剤をディスペンサから所定量ずつ等間隔おきに滴下して点状接着剤を所定ピッチで配置し、該点状接着剤を挟むように前記両板状ワークが所定のギャップで重ね合わされて、前記点状接着剤を伸展させ相互に繋いでシール線が形成されるワーク製造過程に用いる接着剤の滴下制御方法であって、先ず前記ワーク製造過程とは別に、所定条件下で、前記ディスペンサから滴下される前記点状接着剤の滴下径を変化させ、これら滴下径に対応した複数の滴下ピッチで滴下して前記シール線の試作を行い、試作された前記シール線の線幅を測定する予行試験工程を有するものである。そして、この予行試験工程において、前記滴下径及び前記滴下ピッチの変化と前記シール線の線幅とのデータ群の関連性を予め抽出しておくものである。なお、理解の煩雑さを避けるため以下の記述において、前記「予行試験工程において予め抽出された、前記滴下径及び前記滴下ピッチの変化と前記シール線の線幅とのデータ群の関連性を、「ＢＸＰ関連性」と記述することがある。次に、前記ワーク製造過程において、前記一方の板状ワークに向け、前記ディスペンサから前記接着剤を所定の滴下ピッチで定量滴下して、前記点状接着剤の滴下径を測定し、該滴下径の測定値より、前記「ＢＸＰ関連性」に基づき、前記両板状ワークが所定のギャップで重ね合わされたことによる伸展後の前記シール線の線幅を推定することで、前記滴下ピッチを制御変数として前記伸展後のシール線幅を制御することを特徴とするものである。
さらに前述した特徴に加えて、前記一方の板状ワークに対し、前記ディスペンサから滴下ピッチで前記接着剤を定量滴下して前記点状接着剤の滴下径を測定する調整用滴下工程と、前記調整用滴下工程の結果に基づいて前記ディスペンサから前記接着剤を定量滴下するシール用滴下工程と、前記点状接着剤を挟むように前記他方の板状ワークが重ね合わされて前記シール線を形成する接着剤伸展工程とを順次実行するワーク製造過程において、前記調整用滴下工程における前記点状接着剤の滴下径の測定値と前記滴下ピッチから、前記「ＢＸＰ関連性」に基づき、前記両板状ワークが所定のギャップで重ね合わされたことによる伸展後の前記シール線の線幅を推定し、該推定値が規格外である時には、前記「ＢＸＰ関連性」に基づいて、前記シール用滴下工程における滴下ピッチを修正することを特徴とする。
またワーク製造過程によっては、前記調整用滴下工程を有さない場合もあり得る。その場合は、前記一方の板状ワークに対し、少なくとも前記ディスペンサから前記接着剤を定量滴下するシール用滴下工程と、前記一方の板状ワークに前記他方の板状ワークが前記点状接着剤を挟むように所定のギャップで重ね合わされて前記シール線を形成する接着剤伸展工程とを順次実行するワーク製造過程において、前記シール用滴下工程にて、前記点状接着剤の滴下径を測定し、前記接着剤伸展工程にて、前記シール線の線幅を測定し、該シール線幅の測定値が規格外である時には、前記「ＢＸＰ関連性」に基づいて、目標とするシール線幅を与える、前記点状接着剤の滴下径の実測値に対する滴下ピッチを推定し、次のワーク製造過程で前記シール用滴下工程における滴下ピッチを修正することを特徴とする。
【手続補正４】
【補正対象書類名】明細書
【補正対象項目名】０００８
【補正方法】変更
【補正の内容】
【０００８】
また、調整用滴下工程における点状接着剤の滴下径の測定値と滴下ピッチから、予行試験工程で抽出された滴下径及び滴下ピッチの変化とシール線の線幅とのデータ群の関連性（前記「ＢＸＰ関連性」）に基づき、両板状ワークが所定のギャップで重ね合わされたことによる伸展後のシール線の線幅を推定し、該推定値が規格外である時には、前記「ＢＸＰ関連性」に基づいて、シール用滴下工程における滴下ピッチを修正するので、ディスペンサからの点状接着剤の滴下径が微妙に変化しても、調整用滴下工程における滴下径の測定値と滴下ピッチから前記「ＢＸＰ関連性」に基づいて、シール用滴下工程におけるシール線の形成直前にディスペンサからの滴下ピッチを自動的に修正し、この修正した滴下条件でシール線が形成される。
したがって、シール線幅の自動調節精度を更に向上させることができる。
その結果、シール線幅が更に一定化され、それに伴い封止空間の容積の定量化も向上し、より精度の高い接着封止構造体を安定して歩留まり良く製造できる。
【手続補正５】
【補正対象書類名】明細書
【補正対象項目名】０００９
【補正方法】変更
【補正の内容】
【０００９】
また、シール用滴下工程にて、点状接着剤の滴下径を測定し、接着剤伸展工程にて、シール線の線幅を測定し、該シール線幅の測定値が規格外である時には、予行試験工程で抽出された滴下径及び滴下ピッチの変化とシール線の線幅とのデータ群の関連性（前記「ＢＸＰ関連性」）に基づいて、目標とするシール線幅を与える、点状接着剤の滴下径の実測値に対する滴下ピッチを推定し、次のワーク製造過程でシール用滴下工程における滴下ピッチを修正する場合には、ある板状ワークの重ね合わせが終わった段階で、シール線の線幅に狂いが生じても、予行試験工程の測定結果に基づいて、次のシール用滴下工程におけるシール線の形成前にディスペンサからの滴下ピッチを自動的に修正し、この修正した滴下条件でシール線が形成される。
したがって、シール線幅の自動調節精度を更に向上させることができる。
その結果、シール線幅が更に一定化され、それに伴い封止空間の容積の定量化も向上し、より精度の高い接着封止構造体を安定して歩留まり良く製造できる。
【手続補正６】
【補正対象書類名】明細書
【補正対象項目名】００２６
【補正方法】変更
【補正の内容】
【００２６】
また、その他の例としては、一方の板状ワーク１に対し、少なくともシール用滴下工程と接着剤伸展工程とを順次実行するワーク製造過程において、シール用滴下工程にて点状接着剤２ａの滴下径Ｘ２を測定し、接着剤伸展工程にてシール線２ｂの線幅Ｂ２を測定し、該シール線幅Ｂ２の測定値が規格外である時には、予行試験工程で抽出された滴下径Ｘ及び滴下ピッチＰの変化とシール線２ｂの線幅Ｂとのデータ群の関連性に基づいて、目標とするシール線幅Ｂを与える、点状接着剤２ａの滴下径Ｘ２の実測値に対する滴下ピッチＰ２を推定し、次のワーク製造過程でシール用滴下工程における滴下ピッチＰ２を修正するように制御することも可能である。